(57)【特許請求の範囲】
【請求項１】
情報記録媒体と、該情報記録媒体に対して情報の記録／再生を行うヘッドとを具備し、前記情報記録媒体に記録された情報の再生時に、セクタフォーマットにおける同期信号のマーク数を選択する方法を変えることで、異なる複数の再生モードの設定が可能な情報再生装置において、
前記情報記録媒体に記録された情報を再生する際、正規の同期信号の選択方法でのマーク数とは異なる少ないマーク数の選択方法による再生モードで、かつ、予め設定された再生モード以外の再生モードで前記情報記録媒体上の情報を再生したとき、該再生モードの情報を前記情報記録媒体に記録する再生モード記録手段を備え、
前記情報記録媒体上の情報の再生動作を、通常は前記正規の同期信号の選択方法でのマーク数とは異なる少ないマーク数の選択による再生モードで、かつ、予め設定された再生モードで行い、前記再生モード記録手段に再生モードの情報が記録されているときは、以後の再生動作を、前記再生モードの情報に従って行うことを特徴とする情報再生装置の情報再生方法。
【請求項２】
請求項１の情報再生装置の情報再生方法において、
前記予め設定された再生モード以外の再生モードの情報を、当該情報記録媒体上のユーザエリア以外のエリアに記録しておくことを特徴とする情報再生装置の情報再生方法。
【請求項３】
情報記録媒体と、該情報記録媒体に対して情報の記録／再生を行うヘッドとを具備し、前記情報記録媒体に記録された情報の再生時に、セクタフォーマットにおける同期信号のマーク数を選択する方法を変えることで、異なる複数の再生モードの設定が可能な情報再生装置において、
前記情報記録媒体に記録された情報を再生する際、正規の同期信号の選択方法でのマーク数とは異なる少ないマーク数の選択方法による再生モードで、かつ、予め設定された再生モード以外の再生モードで前記情報記録媒体上の情報を再生したとき、該再生モードの情報を前記情報記録媒体に記録する再生モード記録手段を備え、
前記情報記録媒体上の情報の再生動作を、通常は前記正規の同期信号の選択方法でのマーク数とは異なる少ないマーク数の選択による再生モードで、かつ、予め設定された再生モードで行い、前記再生モード記録手段に再生モードの情報が記録されているときは、以後の再生動作を、前記再生モードの情報に従って行うことを特徴とする情報再生装置の情報再生方法であって、
前記情報記録媒体上の情報の再生動作を、前記予め設定された再生モード以外の再生モードで行った過去の回数ｎを記憶する回数記憶手段と、
該回数記憶手段に記憶された回数ｎと、予め決められたしきい値Ｎとを比較する回数比較手段、とを備え、
予め設定された再生モード以外の再生モードで前記情報記録媒体上の情報を再生したとき、該再生モードの情報を前記情報記録媒体に記録する再生モード記録手段は前記回数記憶手段に記憶された回数ｎとしきい値Ｎとを比較した結果、ｎ≧Ｎとなったとき、その時点の予め設定された再生モード以外の再生モードの情報を前記再生モード記録手段に記録することを特徴とする情報再生装置の情報再生方法。
【請求項４】
請求項３の情報再生装置の情報再生方法において、
前記予め設定された再生モード以外の再生モードの情報を、当該情報記録媒体上のユーザエリア以外のエリアに記録しておくことを特徴とする情報再生装置の情報再生方法。
【発明の詳細な説明】
【０００１】
【産業上の利用分野】
この発明は、光磁気ディスクや光ディスクなどの情報記録媒体に記録された情報を再生する情報再生装置の情報再生方法の改良に係り、特に、再生時に、同期信号の選択方法の変化によって異なる複数の再生モードが可能な情報再生装置において、情報記録媒体に記録された情報の再生動作を、通常は正規の同期信号の選択方法と異なる再生モードで、かつ、予め設定された再生モードで行うことにより、迅速で正確な再生動作を可能にして、データの信頼性を向上させた情報再生方法に関する。
【０００２】
【従来の技術】
同期信号の選択方法の変化によって異なる複数の再生モードが可能な情報再生装置（以下、複数の再生モードを有する情報再生装置、と略称する）は、従来から公知である。
この複数の再生モードを有する情報再生装置では、光磁気ディスクや光ディスクなどの情報記録媒体に記録された情報を再生する場合に、再生された情報の品質によって、再生状態を判断し、もし、品質が悪いときは、他の再生モードにより、リトライ（再試行）を行うようにしている。
【０００３】
この場合に、従来の複数の再生モードを有する情報再生装置の情報再生方法では、最初に、正規の再生モード（通常モード）、すなわち、全ての同期信号を使用する再生モードによって再生動作を行い、品質が悪いときは、他の再生モードに切り換えてリトライを行っていた。
次に、従来の情報再生装置の情報再生方法について説明するが、同期信号は情報記録媒体上に記録されている。
【０００４】
ここでは、光磁気ディスクのセクタフォーマットについて説明する。
例えば、３．５″光磁気ディスクのＩＳＯ標準のセクタフォーマットは、次の図４のようになっている。
【０００５】
図４は、３．５″光磁気ディスクのＩＳＯ標準のセクタフォーマットを示す図である。図で、各領域の下方に付けた数字はバイト数を示す。
【０００６】
この図４において、ＳＭはセクタマーク、ＶＦＯ１〜ＶＦＯ３はＰＬＬロック用の連続データパターン、ＡＭはアドレスマーク、ＩＤ１〜ＩＤ３はアドレス、ＣＲＣはＩＤ部の誤り検出用コード、ＰＡはポストアンブル、ＯＤＦ（オフセット・ディテクション・フラグ）はプッシュプル法を用いるトラッキング・エラー検出におけるオフセット検出用のマーク、ＧＡＰは３バイト長の間データがないギャップ、ＳＹＮＣはデータ部の同期信号を示す。
【０００７】
この図４に示すセクタフォーマットは、１セクタが７２５バイトで、先頭に５２バイトのヘッダ部があり、中央の１バイトのＯＤＦを挟んで、６７２バイトの記録フィールドで構成されている。
そして、アドレスを示すＩＤ１（ＩＤ２とＩＤ３も同様）の詳細は、上方に拡大図で示すように、トラック番号として２バイト、ＩＤ番号とセクタ番号として１バイト、ＣＲＣ（ＩＤ部の誤り検出用コード）として２バイト、の計５バイトで構成される。
【０００８】
また、データフィールドは、ユーザデータを書く領域で、５１２バイトのユーザ・データと、１６０バイトのＤＭＰ，ＥＣＣ，ＣＲＣ，ＲＳ（データ領域内の同期用の特殊コード：再同期信号）から構成されている。
なお、バッファはディスク回転変動マージン用の領域で、データは記録されない。
【０００９】
この図４に示すようなセクタフォーマットをもつ光磁気ディスクにおいて、そのアドレスＩＤ１を正確に読むために、一般的には、各セクタの先頭のセクタマークＳＭによって同期を取っている。
このセクタマークＳＭは、データと容易に区別できるパターンが用いられており、次の図５のようなパターンから構成されている。
【００１０】
図５は、図４に示したセクタフォーマットにおけるセクタマークＳＭのパターンを示す図である。図で、Ｔは１チャネルビット長を示す。
【００１１】
セクタマークＳＭは、この図５に示すようなパターンで構成され、８０チャネルビット長であり、次のＰＬＬロック用の連続データパターンＶＦＯ１のフィールドへのリードインに続く異なった長さのエンボスデータである。
そして、“Ｌ”レベルとなる１０Ｔ，６Ｔ，６Ｔ，６Ｔ，１０Ｔの計５つのマークを検出して、これらのマークが所定の位置にあるとき、同期が取れたと判断して、記録再生動作を行う。
【００１２】
ところが、この同期がズレると、情報の記録再生ができなくなってしまう。
光磁気ディスクの場合には、次の手順によって、ディスク（メディア）に記録された情報を再生する。
【００１３】
(１)  セクタの先頭を示すセクタマークＳＭを検出する。
(２)  ＶＦＯ１のパターンによってＰＬＬを引き込み、ビット単位の同期を取る。
【００１４】
(３)  セクタを識別するためのＩＤ情報の先頭にあるアドレスマークＡＭを検出して、バイト単位の同期（バイトの切れ目）を取る。
(４)  ＩＤ１から、トラック番号、セクタ番号を検出し、ＣＲＣで誤りがなかったかどうかチェックする。
【００１５】
(５)  (２)と同様に、ＶＦＯ２のパターンによってＰＬＬを引き込み、ビット単位の同期を取る。
(６)  (３)と同様に、アドレスマークＡＭを検出して、バイト単位の同期を取る。
【００１６】
(７)  (４)と同様に、ＩＤ２から、トラック番号、セクタ番号を検出し、ＣＲＣで誤りがなかったかどうかチェックする。
(８)  (２)や(５)と同様に、ＶＦＯ２のパターンによってＰＬＬを引き込み、ビット単位の同期を取る。
【００１７】
(９)  (３)や(６)と同様に、アドレスマークＡＭを検出して、バイト単位の同期を取る。
(10)  (４)や(７)と同様に、ＩＤ３から、トラック番号、セクタ番号を検出して、ＣＲＣで誤りがなかったかどうかチェックする。
【００１８】
(11)  ＶＦＯ３のパターンによってＰＬＬを引き込み、ビット単位の同期を取る。
(12)  データの先頭にある同期信号ＳＹＮＣを検出して、バイト単位の同期を取る。
【００１９】
(13)  データ中の再同期信号ＲＳで同期を取りながら、データおよびＥＣＣ等を読み出す。
(14)  データとＥＣＣによって、データ中の誤りを訂正する。
【００２０】
(15)  データと、データ部のＣＲＣによって、データ中に誤りがないか確認する。
以上の(１)〜(15)の手順によって、データ（光磁気ディスクなどの情報記録媒体に記録された情報）の再生動作が行われる。
【００２１】
この場合に、光磁気ディスクなどの情報記録媒体上の欠陥等により、例えば、最初の(１)の手順で、セクタの先頭を示すセクタマークＳＭが検出できないときは、(２)以下の処理を行うことができず、データの再生が不可能になる。
そこで、すでに述べたように、従来の複数の再生モードを有する情報再生装置では、この図５に示したセクタマークＳＭ、すなわち、１０Ｔ，６Ｔ，６Ｔ，６Ｔ，１０Ｔの計５つのマークの内、４つのマークを使用してリトライし、データの再生を行う。
【００２２】
このように、５つのセクタマークＳＭの内、４つのマークのパターンが一致したとき、同期が取れたと判断すれば、セクタマークＳＭの部分に欠陥等によって長いパターンの一部が検出できないときでも、データの再生が可能になる。
ところが、この従来の情報再生方法では、まず、通常モードで再生を行い、品質が悪いときに、リトライを行っている。
【００２３】
しかし、一般に、リトライを行う必要が生じるセクタは、セクタ自体に何らかの問題があるので（例えば、一部に欠陥等が存在する）、再生を行うたびに、リトライを行う確率が高い、という不都合がある。
ここで、従来の情報再生装置について、その構成と再生動作を説明する。
【００２４】
図６は、従来の情報再生装置について、その要部構成の一実施例を示す機能ブロツク図である。図において、１は上位装置、２は光ディスク装置、３はその制御部で、３１はＣＰＵ、３２は制御用メモリ、４はドライブ部で、４１は書き込み制御部、４２は読み出し制御部、５は記録媒体を示す。
【００２５】
この図６では、情報再生装置が光ディスク装置２の場合を示している。
光ディスク装置２は、記録媒体５とのインターフェースを有するドライブ部４と、上位装置１とのインターフェースを有し、かつ、制御用メモリ３２を有する制御部３、とから構成されている。
【００２６】
そして、ドライブ部４の書き込み制御部４１と、読み出し制御部４２により、記録媒体５に対する書き込みあるいは読み出しを行う。
次に、複数の再生モードを有する情報再生装置について、再生時の動作をフローで示す。
【００２７】
図７は、従来の複数の再生モードを有する情報再生装置について、再生時の主要な処理の流れを示すフローチャートである。図において、＃１〜＃５はステップを示す。
【００２８】
ステップ＃１で、通常のモードによって、データをリードする。
次のステップ＃２で、正しくリードできたかどうかチェックする（ＣＲＣの誤りチェック等）。
もし、正しくリードできたときは、正常であると判断して、この図７のフローを終了する。
【００２９】
これに対して、正しくリードできないときは、ステップ＃３へ進み、他の再生モードによって、リトライ処理を行う。
次のステップ＃４で、正しくリードできたかどうかチェックする。
もし、正しくリードできたときは、正常であると判断して、この図７のフローを終了する。
【００３０】
また、ステップ＃４でチェックした結果、正しくリードできないときは、ステップ＃５へ進み、リトライ処理の終了条件であるかどうか判断する。
もし、リトライ処理の終了条件でなければ、再び先のステップ＃３へ戻り、リトライ処理を行う。
【００３１】
そして、ステップ＃５で判断した結果、リトライ処理の終了条件であれば、エラー通知等を出力して、この図７のフローを終了する。
この図７で、ステップ＃３〜＃５の処理が、従来の複数の再生モードを有する情報再生装置における再生時の特徴的な動作である。
【００３２】
この従来の情報再生方法では、常に、通常モード（正規の同期検出による再生モード）による再生を行い、その品質が悪いときに、他の再生モードによってリトライを行うようにしている。
なお、以上の説明では、同期信号の検出に、セクタマークＳＭを使用する場合であるが、セクタマークＳＭと同時、あるいはセクタマークＳＭの代りに、アドレスマークＡＭを使用する検出方法も用いられている。
【００３３】
ところで、従来の他の情報再生装置の情報再生方法として、磁気ディスク装置において、ヘッドの位置ズレによる同期不良に対応するために、磁気ディスク上におけるヘッドの相対位置を変化させて、リトライ動作を行う方法が提案されている（例えば、特開平４−４０７９４号公報）。
この情報再生装置は、磁気ディスクであり、セクタサーボによって同期信号を検出するので、光ディスクなどとは異なり、いわゆるセクタフォーマットを使用する情報再生装置ではない。
【００３４】
したがって、従来例としては、再生された情報の品質によって、再生状態を判断し、品質が悪いときは、他のヘッド位置によりリトライ（再試行）を行う、というリトライ方法が、公知であることを示す点に意味を有している。
この情報再生方法では、通常のヘッド位置で再生を行い、再生動作が正しく実行されなかったときは、磁気ディスク上におけるヘッドの相対位置を予め設定された順序で、前後左右に変化させて再生を行い、正常な再生が行えたヘッドの位置をレジスタに記録（登録）し、以後、その磁気ディスクを再生するときは、記録された位置の情報によって、ヘッド位置を制御するようにしている。
【００３５】
以上のように、従来から、光磁気ディスクや光ディスクなどの情報記録媒体に記録された情報を再生する情報再生装置においては、再生時に、同期信号の選択方法の変化によって異なる複数の再生モードが可能であり、図７に関連して説明したように、最初に、通常モードで再生動作を行い、品質が悪いときには、異なる再生モードによってリトイラ動作を行っている。
そのため、リトイラ動作を行う必要が生じたときは、ディスク上の当該セクタにヘッドがくるまで、ディスクが１回転する間の待ち時間が生じる、という第１の不都合があった。
【００３６】
この場合に、磁気ディスクのヘッド位置の制御のように、ヘッド位置（リイライを行ったモードに相当する）を記録媒体とは別のレジスタに記録しておく方法を用いれば、その後に、当該セクタを再生する場合には、ヘッド位置の情報によって、ヘッドを制御することができる。
しかし、このヘッド位置の情報は、情報記録媒体とは別のレジスタを使用しているので、ハード磁気ディスクのように、情報再生装置に内蔵された記録媒体の場合には好適であるがリムーバルな記録媒体（例えば、光磁気ディスク）の場合には適当でない、という第２の不都合があった。
【００３７】
【発明が解決しようとする課題】
この発明では、従来の情報再生方法における不都合、すなわち、最初に、通常モードによって再生を行い、品質が悪いときに、異なる再生モードによってリトイラ動作を行っているので、ディスクが１回転する間の待ち時間が生じる、という第１の不都合と、リトライのために必要な情報（具体的には、ヘッド位置の情報）が、当該情報記録媒体上に記録されていないため、光磁気ディスクのようなリムーバルな記録媒体には適用することができない、という第２の不都合を解決し、迅速かつ確実に、品質の良い再生動作が行えるようにして、データの信頼性を向上させた情報再生装置の情報再生方法を提供することを目的とする。
【００３８】
【課題を解決するための手段】
この発明では、第１に、
情報記録媒体と、該情報記録媒体に対して情報の記録／再生を行うヘッドとを具備し、前記情報記録媒体に記録された情報の再生時に、セクタフォーマットにおける同期信号のマーク数を選択する方法を変えることで、異なる複数の再生モードの設定が可能な情報再生装置において、
前記情報記録媒体に記録された情報を再生する際、正規の同期信号の選択方法でのマーク数とは異なる少ないマーク数の選択方法による再生モードで、かつ、予め設定された再生モード以外の再生モードで前記情報記録媒体上の情報を再生したとき、該再生モードの情報を前記情報記録媒体に記録する再生モード記録手段を備え、
前記情報記録媒体上の情報の再生動作を、通常は前記正規の同期信号の選択方法でのマーク数とは異なる少ないマーク数の選択による再生モードで、かつ、予め設定された再生モードで行い、前記再生モード記録手段に再生モードの情報が記録されているときは、以後の再生動作を、前記再生モードの情報に従って行うことを特徴とする情報再生装置の情報再生方法である。
【００３９】
第２に、
上記の第１の情報再生装置の情報再生方法において、
前記予め設定された再生モード以外の再生モードの情報を、当該情報記録媒体上のユーザエリア以外のエリアに記録しておく情報再生方法である。
【００４０】
この発明では、第３に、
情報記録媒体と、該情報記録媒体に対して情報の記録／再生を行うヘッドとを具備し、前記情報記録媒体に記録された情報の再生時に、セクタフォーマットにおける同期信号のマーク数を選択する方法を変えることで、異なる複数の再生モードの設定が可能な情報再生装置において、
前記情報記録媒体に記録された情報を再生する際、正規の同期信号の選択方法でのマーク数とは異なる少ないマーク数の選択方法による再生モードで、かつ、予め設定された再生モード以外の再生モードで前記情報記録媒体上の情報を再生したとき、該再生モードの情報を前記情報記録媒体に記録する再生モード記録手段を備え、
前記情報記録媒体上の情報の再生動作を、通常は前記正規の同期信号の選択方法でのマーク数とは異なる少ないマーク数の選択による再生モードで、かつ、予め設定された再生モードで行い、前記再生モード記録手段に再生モードの情報が記録されているときは、以後の再生動作を、前記再生モードの情報に従って行うことを特徴とする情報再生装置の情報再生方法であって、
前記情報記録媒体上の情報の再生動作を、前記予め設定された再生モード以外の再生モードで行った過去の回数ｎを記憶する回数記憶手段と、
該回数記憶手段に記憶された回数ｎと、予め決められたしきい値Ｎとを比較する回数比較手段、とを備え、
予め設定された再生モード以外の再生モードで前記情報記録媒体上の情報を再生したとき、該再生モードの情報を前記情報記録媒体に記録する再生モード記録手段は前記回数記憶手段に記憶された回数ｎとしきい値Ｎとを比較した結果、ｎ≧Ｎとなったとき、その時点の予め設定された再生モード以外の再生モードの情報を前記再生モード記録手段に記録することを特徴とする情報再生装置の情報再生方法である。
【００４１】
第４に、上記の第３の情報再生装置の情報再生方法において、前記予め設定された再生モード以外の再生モードの情報を、当該情報記録媒体上のユーザエリア以外のエリアに記録しておくことを特徴とする情報再生装置の情報再生方法である。
【００４２】
【作用】
この発明では、初回の再生動作を、予め設定されたリトライの条件で行うことによって、ディスクの回転待ちの時間を省略し、迅速で正確な再生を可能にしている（請求項１の発明）。
第２に、予め設定されたリトライの条件以外の条件（再生モードの情報）を、当該情報記録媒体上のユーザエリア以外のエリアに記録することによって、記録媒体が特定の再生装置から取り脱されても、予め設定されたリトライの条件以外の条件を検知することができるので、常に最適な条件で再生動作を行うことが可能になる（請求項２の発明）。
【００４３】
第３に、予め設定された再生モード以外の再生モードの情報を記録する際に、しきい値Ｎを用いて、過去に行われた予め設定された再生モード以外のモードによる再生動作の回数ｎを選別しているので、ノイズ等によって極めて希に生じるリトライの回数を、カウントすることを排除することができる。
したがって、このように極めて希に生じるリトライにより、本来正常なセクタをリトライの条件（再生モード）が書き換えられてしまう、という不都合が回避される。なお、この場合には、過去のリトライ回数を記録するエリアを設けておく（請求項３の発明）。
【００４５】
【実施例１】
次に、この発明の情報再生装置の情報再生方法について、その実施例を図面と共に詳細に説明する。
この実施例は、主として請求項１に対応しているが、請求項２から請求項４の発明にも関連している。
【００４６】
すでに図７のフローに関連して述べたように、同期信号の検出に際して、光磁気ディスク等の情報記録媒体上の欠陥等によって、正規の数のセクタマークＳＭ（あるいはアドレスマークＡＭ）が検出できない場合（通常モード）に、その内の一部の数のセクタマークＳＭ（例えば５つのマークの内、４つのマーク）を検出する再生モードによるリトライ条件により、再生動作を行う情報再生方法が知られている。
【００４７】
この場合に、再生時に、最初から通常モードを実行すると、リトライの条件による再生動作を行うために、ディスクの回転待ちが生じ、再生速度が遅くなる、という不都合がある。
この発明の情報再生方法では、予め、リトライの条件（再生モード）として、例えば５つのセクタマークＳＭの内、４つのマークＳＭを選択するモード（正規の同期信号の選択方法と異なる再生モードで、かつ、予め設定された再生モード以外のモード）と、その順序とを設定しておく。
【００４８】
そして、再生時には、通常モードによる再生を行わず、最初から（１回目のデータリードから）、リトライの条件による再生動作を実行することによって、ディスクの回転待ち時間が生じないようにしている。
この発明でも情報再生装置の構成は、基本的に従来例として示した先の図６と同様であり、ＣＰＵ３１が次の図１のフローによる制御を行う。
【００４９】
図１は、この発明の情報再生方法について、再生時の主要な処理の流れを示すフローチャートである。図において、＃１１〜＃１８はステップを示す。
【００５０】
この実施例では、従来例を示した先の図７のフローで、この図１に示すフローで、ステップ＃１１，＃１２、およびステップ＃１８の処理が付加された点と、ステップ＃１３のデータリードを、リトライの条件（再生モード）によって行う点に特徴を有している。
したがって、ステップ＃１４〜＃１７の処理は、図７のステップ＃２〜＃５と同様である。
【００５１】
この図１に示すように、まず、ステップ＃１１で、過去にリトライしたかどうか判断する。
この判断は、当該情報記録媒体が、予め設定されたリトライの条件（正規の同期信号の選択方法と異なる再生モードで、かつ、予め設定された再生モード）以外の条件（再生モード）で、リトライを行う情報（条件）が記録されているかどうか検知するために行う。
【００５２】
もし、過去にリトライされていなければ、ステップ＃１３へ進み、予め設定された通常の条件によって、再生モードを設定してデータをリードする。
その後のステップ＃１４〜＃１７の処理は、従来と同様である。
【００５３】
これに対して、先のステップ＃１１で判断した結果、過去にリトライされていれば、次のステップ＃１２へ進み、記録されているリトライの情報（条件）を読み出して、再生モードを設定する。
そして、ステップ＃１３へ進み、先の過去にリトライされていない場合と同様の処理を行う。
【００５４】
この図１のフローでは、ステップ＃１５で、リトライの処理を行った後、ステップ＃１６（図７のステップ＃４に相当）で、正しくリードできた、と判断したときは、ステップ＃１８へ進む。
このステップ＃１８で、その時点におけるリトライの条件を記録して、この図１のフローを終了する。
【００５５】
以上のステップ＃１１〜＃１８の処理によって、最初からリトライの条件によるデータのリードが実行され、もし、他のリトライの条件によって正しくリードできたときは、その条件が記録される。
したがって、次回の再生時には、このリトライの条件によって再生モードが設定され、迅速で正確なデータのリードが可能になる。
【００５６】
【実施例２】
次に、第２の実施例を説明する。
この実施例は、請求項２の発明に対応している。
この実施例は、先に説明した第１の実施例の改良であり、光磁気ディスク等のリムーバルな情報記録媒体の場合、その情報記録媒体を他の再生装置へ装着したときは、記録されたリトライの条件（図１のステップ＃１８）の情報が使えなくなる。
【００５７】
そこで、このリトライの条件（再生モードの情報）を、当該情報記録媒体上のユーザエリア以外のエリア（ワーキングエリア：ユーザ用として開放していないエリア）に記録することによって、記録媒体が特定の再生装置から取り脱されても、予め設定されたリトライの条件以外の条件を検知することができるようにしている（フローは省略する）。
したがって、どのような再生装置にセットしても、常に最適なリトライの条件で再生動作を行うことが可能になる（請求項２の発明）。
【００５８】
従来例として説明した磁気ディスク装置では、固定ディスクをターゲットとしているので、ヘッド位置の条件（この発明の再生モードとは異なる）を、対応するレジスタ等に記録している（特開平４−４０７９４号公報）。
しかし、この従来例には、同期信号の検出方法の差による複数の再生モードについては、開示されていない。
【００５９】
【実施例３】
次に、第３の実施例を説明する。
この実施例は、請求項３の発明に対応している。
この第３の実施例は、本来正常なセクタについて、たまたま発生されたノイズ等によって極めて希に生じるエラーにより、他のリトライ処理が実行され、正確なリードが行われた場合でも、この時点で実行されたリトライの条件が、以後の再生モードの条件として記録される、という不都合を回避する点に特徴を有している。
【００６０】
そのために、しきい値Ｎを設定しておき、予め設定された再生モード以外の再生モードの情報を記録する際に、しきい値Ｎを用いて、過去に行われた予め設定された再生モード以外のモードによる再生動作の回数ｎと比較し、しきい値Ｎ以下のときは、予め設定された再生モードが設定されるようにしている。
この第３の実施例でも、情報再生装置の構成、基本的に従来例として示した先の図６と同様であり、ＣＰＵ３１が次の図２のフローによる制御を行う。
【００６１】
図２は、この発明の情報再生方法の第３の実施例について、再生時の主要な処理の流れを示すフローチャートである。図において、＃２１〜＃３１はステップを示す。
【００６２】
この図２のフローと、先の第１の実施例で示した図１のフローとで、異なる点は次のとおりである。
図２のフローで、ステップ＃２１で、過去にリトライした回数ｎをセットし、次のステップ＃２２で、しきい値Ｎと比較する点、および、ステップ＃２９と＃３０とが付加された点、の２点である。
【００６３】
まず、ステップ＃２１で、過去にリトライした回数ｎを回数記憶手段にセットする。
次のステップ＃２２で、予め決められたしきい値Ｎと比較する。
【００６４】
もし、ｎ≧Ｎでなければ、ステップ＃２４へ進み、第１の実施例と同様に、予め設定されたリトライの条件によって、再生モードを設定してデータをリードする。
その後のステップ＃２５〜＃２８の処理は、図１と同様である。
【００６５】
これに対して、先のステップ＃２２で判断した結果、ｎ≧Ｎであれば、ステップ＃２３へ進み、記録されているリトライの情報（条件）を読み出して、再生モードを設定する（図１のステップ＃１２と同様）。
その後、ステップ＃２４へ進んで、先のｎ≧Ｎでないときと、同様の処理を行う。
【００６６】
この図２のフローでは、ステップ＃２６で、リトライの処理を行った後、ステップ＃２７（図１のステップ＃１６に相当）で、正しくリードできた、と判断したときは、ステップ＃２９へ進む。このステップ＃２９で、リトライの回数をｎ＝ｎ＋１（インクリメント）し、次のステップ＃３０で、ｎ≧Ｎであるかどうか判断する。
【００６７】
もし、ｎ≧Ｎでなければ、正常な動作が行われたとして、この図２のフローを終了する。また、ｎ≧Ｎであれば、ステップ＃３１へ進み、その時点におけるリトライの条件を記録して、この図２のフローを終了する。
【００６８】
以上のステップ＃２１〜＃３１の処理によって、過去にリトライした回数を加味したリトライの条件が設定され、たまたま発生したノイズ等の影響により、変更された本来の条件と異なるリトライの条件が、以後の条件として記録されてしまう、という不都合が回避される。
なお、この場合に設定されたリトライの条件は、再生装置内のレジスタに記録され（請求項１の発明）、あるいは、当該情報記録媒体の所定エリアに記録される（請求項２の発明）。
【００６９】
【実施例４】
次に、第４の実施例を説明する。
この実施例は、請求項４の発明に対応している。
この第４の実施例は、先の第３の実施例の改良であり、特に、経時変化（通常はキズ等が発生する）によって、リトライの条件（再生モード）が変化した場合に、すでに記録されているリトライの条件を書き換える場合の処理に関する。
【００７０】
この第４の実施例では、先の第３の実施例と同様に、過去にリトライした回数ｎをセットし（ステップ＃２１）、予め設定されたしきい値Ｎと比較する（ステップ＃２２）が、その結果、リトライの条件（再生モード）を書き換える必要が生じたとき（ｎ≧Ｎのとき）、この条件の書き換えと同時に、回数ｎを“０”に設定し直す点に特徴を有している。
したがって、ノイズ等によって実行され、たまたま成功した別のリトライの条件が、書き換えられる、という不都合が回避される。
【００７１】
図３は、この発明の情報再生方法の第４の実施例について、再生時の主要な処理の流れを示すフローチャートである。図におけるステップ＃２１〜＃３１は図２と同様であり、また、＃４１〜＃４２はステップを示す。
【００７２】
この図３のフローと、先の第３の実施例に示した図２のフローとで、異なる点は次の２つである。
図２のステップ＃２９が削除されて、代りに、ステップ＃４１が設けられた点と、図２のステップ＃３１の後に、ステップ＃４２が追加された点である。
【００７３】
この図３のフローでは、ステップ＃２６で、リトライの処理を行った後、ステップ＃２７（図１のステップ＃１６に相当）で、正しくリードできた、と判断したときは、ステップ＃４１へ進む。
このステップ＃４１で、その時点におけるリトライの条件を記録する（図１のステップ＃１８に相当）。
【００７４】
次に、ステップ＃３０で、ｎ≧Ｎであるかどうか判断する。もし、ｎ≧Ｎでなければ、正常な動作が終了したとして、この図３のフローを終了する。
【００７５】
また、ｎ≧Ｎであれば、ステップ＃３１へ進み、その時点におけるリトライの条件を記録し（図２と同様）、その後、ステップ＃４２で、ｎ＝０にして、この図３のフローを終了する。
【００７６】
以上のように、この第４の実施例では、リトライの回数ｎが、しきい値Ｎを超えたときは、リトライの回数ｎを“０”に書き換えるようにしている。
したがって、経時変化によってリトライの条件を新たに設定したときでも、ノイズ等によって希に生じるリトライにより、本来のリトライの条件が変更されることが防止される。
【００７７】
なお、以上の第１から第４の実施例では、同期信号の検出に、セクタマークＳＭの一致不一致で判断する場合を中心に説明した。
しかし、従来から、同期信号の検出に、アドレスマークＡＭを使用する方式も用いられており、このアドレスマークＡＭ、あるいは、セクタマークＳＭとの組み合せを用いることも可能であり、実施例に限定されるものではない。
【００７８】
【発明の効果】
請求項１の情報再生装置の情報再生方法では、最初にリトライモードで再生を行うようにしている。
したがって、従来の再生方法に比べて、回転待ちの時間が不要となり、高速かつ正確に、データをリードすることができる。
【００７９】
請求項２の情報再生装置の情報再生方法では、再生モードの情報をディスク等の情報記録媒体上に記録している。
したがって、光磁気ディスク等のように、リムーバルな記録媒体の場合に、ある装置から取り脱したときでも、請求項１の情報再生方法と同様の効果が得られる。
【００８０】
請求項３の情報再生装置の情報再生方法では、請求項１または請求項２の情報再生装置の情報再生方法において、すでに何回のリトライを行ったかの回数ｎの判断に、しきい値Ｎを用いている。なお、この場合には、すでに何回のリトライを行ったかの記録エリアを設ける必要がある。
したがって、ノイズ等に起因して、希にしか生じないリトライによって、正常なセクタを他のリトライの条件（再生モード）で再生したとき、他のリトライの条件が最適なリトライの条件として設定されてしまう、という不都合が未然に防止される。
【００８１】
請求項４の情報再生装置の情報再生方法では、請求項３の情報再生方法において、しきい値Ｎを超えたときは、リトライの回数ｎを“０”に書き換えるようにしている。
したがって、経年変化によって（キズ等が発生して）、新たにリトライの条件（再生モード）が変り、変更されたリトライの条件が設定された後、ノイズ等に起因する希なケースで、たまたまリトライが成功したことにより、そのリトライの条件が設定されてしまう、という不都合が未然に防止される。
【図面の簡単な説明】
【図１】この発明の情報再生方法について、再生時の主要な処理の流れを示すフローチャートである。
【図２】この発明の情報再生方法の第３の実施例について、再生時の主要な処理の流れを示すフローチャートである。
【図３】この発明の情報再生方法の第４の実施例について、再生時の主要な処理の流れを示すフローチャートである。
【図４】３．５″光磁気ディスクのＩＳＯ標準のセクタフォーマットを示す図である。
【図５】図４に示したセクタフォーマットにおけるセクタマークＳＭのパターンを示す図である。
【図６】従来の情報再生装置について、その要部構成の一実施例を示す機能ブロツク図である。
【図７】従来の複数の再生モードを有する情報再生装置について、再生時の主要な処理の流れを示すフローチャートである。
【符号の説明】
１  上位装置
２  光ディスク装置
３  制御部
３１  ＣＰＵ
３２  制御用メモリ
４  ドライブ部
４１  書き込み制御部
４２  読み出し制御部
５  記録媒体
【図１】
0003795539.tif 000002
【図２】
0003795539.tif 000003
【図３】
0003795539.tif 000004
【図４】
0003795539.tif 000005
【図５】
0003795539.tif 000006
【図６】
0003795539.tif 000007
【図７】
0003795539.tif 000008